(57)【要約】【課題】宅内配管施工後の漏れの検査は、配管の端末に検査用継手を取付け配管内部に検査流体を封入し圧力を加えて漏れの有無を確認する方法によるが、取付口が確定されているため、呼び径１６Ａの場合のように管の内外径が異なるものには対応できないという問題があった。【解決手段】検査用継手の配管端末の樹脂管Ｐを挿入する樹脂管挿入部Ａに樹脂管をロックするストッパー３を設定したキャップ４と、低突出と高突出とからなる２本のＯリング１２ａ、１２ｂを、カバー体２の内径壁面、或いは継手本体の先端側の挿入部構成筒状部の外径周面に設定するように構成した。【選択図】図１
2020076449.tif 000002
【特許請求の範囲】
【請求項１】
継手本体の先端側に樹脂管挿入部を構成する間隙を置いて設定するカバー体と、該カバー体の先端部に樹脂管をロックするストッパーを設定するキャップと、低突出と高突出とからなる２本のＯリングを前記樹脂管挿入部の壁面に設定して、伸張方向に付勢されたスプリングを介して、樹脂管挿入口を設けたリリースキャップをカバー体先端側に嵌着して成る配管検査用継手。
【請求項２】
低突出と高突出とからなる２本のＯリングを継手本体の先端側に樹脂管挿入部を構成する間隙を置いて設定するカバー体の内径壁面に設定するようにした請求項１記載の配管検査用継手。
【請求項３】
低突出と高突出とからなる２本のＯリングを継手本体の先端側の挿入部構成筒状部の外径周面に設定するようにした請求項１記載の配管検査用継手。
【請求項４】
樹脂管の先端部位を外部から目視できるようにカバー体を透明に構成した請求項１又は請求項２又は請求項３記載の配管検査用継手。
【請求項５】
継手本体の基部側端部を、挿入樹脂管の挿入先端面外径の面取り機構を備えた止水キャップで覆蓋するように構成した請求項１又は請求項２又は請求項３又は請求項４記載の配管検査用継手。
【発明の詳細な説明】
【技術分野】
【０００１】
本発明は、宅内配管施工後、末端の水栓金具を取り付ける前に配管に漏れがないか水圧又は空圧検査を行う際に用いる配管検査用継手に関し、特に、配管に使用する樹脂管が呼び径１６Ａの場合のように架橋ポリエチレン管（ＰＥ−Ｘ管）とポリブテン管（ＰＢ管）でも管の内外径が異なるものに対応するための異径対応の配管検査用継手に関するものである。
【背景技術】
【０００２】
宅内配管施工後の漏れの検査は、配管内部に水や空気等の検査流体を封入し圧力を加えて漏れの有無を確認する方法によって行われるが、その際、配管の端末に、端末閉止のための閉塞部材や検査流体注入のための注入部材を取り付ける必要がある。
【０００３】
従来、このように検査のために配管端末に取り付けられる部材処理は、例えば、特許文献１記載のように樹脂管が挿入される継手本体を備えており、その継手本体の内部には上記樹脂管との係合により同樹脂管の継手本体からの抜け出しを防止するロックリングが設けられている継手を用いたり、更に、特許文献２記載のように継手本体とロックリングとを同一軸線上に位置させ、その軸線に沿って継手本体内に押し込まれることによってロックリングと樹脂管との係合を解除するリリースを備えるようにして簡易迅速に配管端末への着脱ができるようにする提案もなされている。
【０００４】
また、特許文献３記載のように、樹脂管の内径部にプラグ式継手をねじ込んだり、樹脂管の外径をメカニカル式継手によってナットを締め込むことにより接合することが行われてきた。
【０００５】
以上のような配管検査は、検査後、検査用継手を取り外し、水栓金具接続用の継手を樹脂管に接続し、水栓金具を取り付けて配管施工が完了するが、水栓金具を取り付け後に漏洩が生ずると、その漏洩箇所の発見に手間を要すると共に、その手直しや配管の交換工事に多大な時間を要することになる。
【０００６】
この問題に対応して、本願出願人により特願２０１８−０６１６４６号出願による発明（以下、先願発明という。）がなされ、既に出願されている。しかしながら、先願発明は継手される樹脂管がＰＥ−Ｘ管とＰＢ管の外径（１７ｍｍ）、内径（１２．８ｍｍ）が同一の呼び径１３Ａの場合を前提とし、管内径部を継手本体先端側に並列設定した１種類２本のＯリングで止水する構造で対応するものとなっている。
【０００７】
しかしながら、樹脂管の呼び径が１６Ａの場合、配管に使用する樹脂管は５種類（ＪＩＳ  Ｋ  ６７６９  ＰＮ１５  Ｍ種、ＪＩＳ  Ｋ  ６７６９  ＰＮ１５  Ｅ種、ＪＩＳ  Ｋ  ６７７８  Ｊ種、ＪＩＳ  Ｋ  ６７８７  Ｍ種、ＪＩＳ  Ｋ  ６７８７  Ｅ種）、すなわち、寸法違いで３種類、外径違い（２１．５ｍｍと２２ｍｍ）で２種類があり、先願発明ではこのような異径の樹脂管に対応することができない。このような異径の樹脂管に対応するため、本体に差込んだ樹脂管を袋ナットで締め込むメカニカル式検査用継手が公知であるが、ワンタッチ式で且つ、差し込み確認が目視可能で異径の樹脂管に１種類の継手で対応できる検査用継手はない。
【０００８】
なお、異径の樹脂管に対応する継手についての提案は、特許文献４〜６によってなされているが、何れも配管用の継手であり、検査用として用いることはできないものである。
【先行技術文献】
【特許文献】
【０００９】
【特許文献１】特許第４５６５７７６号公報
【特許文献２】特開２０１８−１７３３６号公報
【特許文献３】特開２０００−１５５０６８号公報
【特許文献４】特開２００７−３２５９８号公報
【特許文献５】特開２００１−２８９３７６号公報
【特許文献６】特開平１１−１０８２６７号公報
【発明の概要】
【発明が解決しようとする課題】
【００１０】
前記のような状況から、使用する樹脂管に対応した何種類もの継手を用意する必要や締め込み作業が必要で現場での取り回しなど多くの労力を要する前記先行技術等による対応が採られてきた。しかしながら、前記先行技術による継手は何れも樹脂管からの取り外しがワンタッチとまでは行かず、構成部材の形状が複雑で加工や組立てに時間と労力を要するという問題があった。
【００１１】
検査用継手は、検査時に抜けや漏れのない確実な着脱が必要不可欠であるが、作業者の未熟による樹脂管の不完全な挿し込みや、誤操作による樹脂管の抜け出しは大事故に繋がりかねない問題がある。
【００１２】
検査用継手は、検査時に抜けや漏れのない確実な構造を必要とすると共に、取付け取り外しを簡易迅速に行えることが必要であることから、本発明は樹脂管への着脱を手動によって簡易迅速に行え、呼び径１６Ａの場合のように管の内外径が異なるものにも対応できる異径対応の配管検査用継手の提供を目的としたものである。
【課題を解決するための手段】
【００１３】
本発明は上記した課題に対応しようとするものであり、継手本体の先端側に樹脂管挿入部を構成する間隙を置いて設定するカバー体の内径壁面、或いは、継手本体の先端側の挿入部構成筒状部外周面に、前記樹脂管挿入部への突出が低突出と高突出とからなる２本のＯリングを並列して設定し、該カバー体の先端部に樹脂管をロックするストッパーを設定するキャップと伸張方向に付勢されたスプリングを介して、樹脂管挿入口を設けたリリースキャップをカバー体先端側に嵌着するように構成した。
【００１４】
この構成により、異径の挿入樹脂管にも対応することができ、手動でリリースキャップの樹脂管挿入口から樹脂管を挿し込むだけで、検査用継手を取付けることができ、スプリングに抗してリリースキャップを継手本体後端側に押すことにより樹脂管から検査用継手を取り外すことができる。
【００１５】
更に、継手本体の先端側に設定するカバー体の所要部を透明に構成することにより樹脂管の挿入状況を外部から目視で確認することができ、継手部における樹脂管の挿入不足による抜けや封入流体の漏れをより完全に防止することができる。また、継手本体の樹脂管の内径が挿入され支持される支持部外形１１ａをテーパー面に構成することにより、挿入樹脂管の挿入先端がテーパー面によって支持され、継手本体と挿入樹脂管のガタツキが防止される。
【００１６】
上記構成により、２本のＯリングの設定を、挿入樹脂管の外径にＯリング内径（突出量）をそれぞれ対応させることによって管外径の違いに対応する。
【００１７】
また、挿入樹脂管の挿入先端面外径を面取りして差込むことにより、カバー体に内装されたＯリング突出面と面取り面が滑接し樹脂管の円滑な挿入を行うことができる。そのため、継手本体の基部側端部に面取り機構を備えた止水キャップで覆蓋することにより、面取りに対する利便性を図ることができる。
【発明の効果】
【００１８】
本発明は、以上のように構成したことにより、検査時に抜けや漏れのない確実な着脱が可能となり、作業者の未熟による樹脂管の不完全な挿し込みや、誤操作による樹脂管の抜け出しを防止することができ、樹脂管への着脱を手動によって簡易迅速に行える効果があると共に、継手される樹脂管の外径、内径が同一の場合だけでなく、管の内外径が異なるものにも対応できるものである。
【図面の簡単な説明】
【００１９】
【図１】本発明の実施例を示すもので、２本のＯリングの設定を、カバー体の内径壁面に行う実施例における樹脂管とそれを差し込む前における検査用継手の構造を示す縦断面正面図。
【図２】同じく、２本のＯリングの設定を、継手本体の先端側の挿入部構成筒状部外周面に行う実施例における樹脂管とそれを差し込む前における検査用継手の構造を示す縦断面正面図。
【図３】同じく、図１の実施例における検査用継手に樹脂管が差し込まれ、ストッパーによって係止された状態を示す検査用継手の縦断面正面図。
【図４】同じく、樹脂管から検査用継手を引き抜くため、リリースキャップを継手本体の後端側に押し込んでストッパーの係止を解除させた状態を示す図１の実施例における検査用継手の縦断面正面図。
【図５】同じく、カバー体とキャップを組み付けた継手本体に、スプリングを介してリリースキャップを仮組みした状況を示す図１の実施例における検査用継手の縦断面正面図。
【図６】同じく、継手本体の基部側端部を覆蓋する面取り機構を備えた図１の実施例における止水キャップの縦断面正面図。
【図７】同じく、図６の止水キャップの左側面図。
【図８】同じく、図６の止水キャップの平面図。
【図９】同じく、止水キャップに付設した面取り機構に樹脂管端部を挿入して押込み回動して挿入先端面外径を面取りする状況を示す止水キャップと挿入樹脂管の縦断面正面図。
【図１０】同じく、継手本体の基部側端部を、面取り機構を備えた止水キャップで覆蓋した状態を示す図１の実施例における縦断面正面図。
【発明を実施するための形態】
【００２０】
以下、図面に基づいて２本のＯリングの設定を、カバー体２の内径壁面に行うようにした実施を例として本発明の実施の形態を説明する。
１は検査用継手で、継手本体１１の先端側に樹脂管挿入部Ａを構成する間隙を置いて設定すると共に、挿入される樹脂管の外径面に密着して止水する２本のＯリング１２ａ、１２ｂをその内径壁面に設定したカバー体２と、該カバー体２の先端部に樹脂管Ｐをロックするストッパー３を設定するキャップ４と伸張方向に付勢されたスプリング５を介して、樹脂管挿入口６１を設けたリリースキャップ６をカバー体２の先端側のキャップ４に嵌着して構成されている。
【００２１】
その組立については、先ず、先端にストッパー３を設定したカバー体２とキャップ４を組み立てた継手本体１１に、スプリング５を介してリリースキャップ６を載置して仮組し、更に、工具を用いて伸張方向に付勢されたスプリング５に抗して強制的に押し込みを行う。
【００２２】
この強制的な押し込みにより、キャップ４の外周に形成された係合段部４１とリリースキャップ６の尾端内径に設けられた係合段部６２とが係合して組み立てられる。
【００２３】
樹脂管への取付けは、先ず、継手本体１１の基部側端部１４を覆蓋する面取り機構１６を備えた止水キャップ１５の挿入部に樹脂管Ｐの挿入端を押し込みながら回動させれば、挿入底部に設定された斜交刃１７により樹脂管Ｐの挿入先端面外径が切削されて面取りを行う。なお、面取り機構１６の両側はコの字型の切込み窓孔１８が開口し、その開口角部が斜交刃１７を形成するものである。
【００２４】
このように挿入樹脂管の挿入先端面外径を面取りし、リリースキャップ６の先端に開口する樹脂管挿入口６１に樹脂管Ｐを挿入すると、樹脂管Ｐの先端は径方向内側に向けて斜立するストッパー片３２を乗り越え、更に、カバー体２の内径壁面に設定した２本のＯリング１２ａ、１２ｂに突合するが、前記面取りによりＯリング突出面と面取り面が滑接し樹脂管の円滑な挿入を行うことができる。なお、樹脂管の面取りは、継手への挿入時に先端外径角部が挿入部内周壁に設定されたＯリング１２ａ、１２ｂに引っ掛ってＯリングを脱溝させる恐れがあるためなので、場合によっては省略することもある。
【００２５】
２本のＯリング１２ａ、１２ｂは、Ｏリング内径の差により突出面が１２ａより１２ｂが高くなっており、管の外径が異なるものに対応する。すなわち、管外径が細いものについては主として１２ｂのＯリングによって止水シールし、１２ａのＯリングによるシールは副次的なものとなる。
【００２６】
挿入樹脂管の外径が太いものについては、１２ａのＯリングによって止水シールし、１２ｂのＯリングは管外径が細い場合より潰し量が多い状態で止水シールする。結局、挿入樹脂管はＯリング１２ａと１２ｂの高低差の間隙によってシール調整され、管の外径が異なるものについて対応することができるものである。
【００２７】
以上のように、リリースキャップ６の先端に開口する樹脂管挿入口６１に先端面外径部を面取り加工した樹脂管Ｐを挿入すると、樹脂管Ｐの先端は挿入方向奥側に向かうに従い径方向内側に向けて斜立するストッパー片３２を乗り越え、カバー体２の内径壁面に設定した２本のＯリングを挿通して止水シール調整による周面の水密性を確保しながら樹脂管挿入部Ａの底部まで挿入することができる。
【００２８】
挿入された樹脂管は、ストッパー３が挿入方向奥側に向かうに従い径方向内側に向けて斜立するストッパー片３２によって構成されているので、先端側に向けて引張ってもストッパー片３２が樹脂管外周に食い込んで引抜きが阻止される。
【００２９】
樹脂管Ｐの挿入度合いは、カバー体２を透明にすることで、樹脂管挿入部Ａの底部まで挿入されているのを目視で確認できるので、検査用継手１の取付けを安全確実に行えるものである。
更に、キャップ４の色を例えば黒に設定することにより、樹脂管Ｐの取外し操作の際、キャップ４とリリースキャップ６の内部に装着しているスプリング５が縮み、キャップ４がリリースキャップ６内に隠れる状況が外部から目視できるので、ロックが解除されたことを確認できる。
【００３０】
また、スプリング５が伸張方向に向けて付勢されているので、リリースキャップ６が常に先端側に向けて押圧され、安定した検査用継手の取付けを行うことができる。
【００３１】
次に、樹脂管の挿入を解除して樹脂管Ｐから検査用継手１を取り外す際には、リリースキャップ６をスプリング５の反発力に抗して継手本体後端側に押すことにより樹脂管Ｐから検査用継手１を取り外すことができる。
なお、リリースキャップ６の外形部に指が掛かる段差６４を設けることによりリリースキャップ６の操作をし易くできる。また、リリースキャップ６の外形部に指が掛けられる段差以外にもフランジ形状とした突出部６５を設けることで操作時に指の滑りを防止するようにすれば、更に、リリース操作がし易くなる。
【００３２】
すなわち、リリースキャップ６を継手本体後端側に押すことにより、リリースキャップ６の樹脂管挿入部内壁６３が、挿入方向奥側に向かうに従い径方向内側に向けて斜立するストッパー３のストッパー片３２を、カバー体２の先端部とキャップ４の先端側内周凹部によって形成される凹陥部３１に一時的に変形させてストッパー機能を停止させることにより樹脂管挿入部Ａから樹脂管Ｐを円滑に引抜くことができるものである。
【産業上の利用可能性】
【００３３】
本発明に係る配管検査用継手は、上記のように、検査時に抜けや漏れのない確実な構造を備え、取付け取り外しを簡易迅速に行えると共に、樹脂管への着脱を手動によって簡易迅速に行うことを可能とするほか、これまで多大な時間と労力を要した宅内配管施工後、末端の水栓金具を取り付ける前に配管に漏れがないか水圧又は空圧検査を行う際に用いる配管検査を極めて容易に行えるようにしたもので水道機器産業において利用することができる。
【符号の説明】
【００３４】
１      検査用継手
１１    継手本体
１１ａ  支持部外形
１２ａ  低突出Ｏリング
１２ｂ  高突出Ｏリング
１３ａ  継手本体の先端部
１３ｂ  継手本体の先端側の挿入部構成筒状部
１４    継手本体基部側端部
１５    止水キャップ
１６    面取り機構
１７    面取り機構の斜交刃
１８    面取り機構の切込み窓孔
１９    止水キャップの着座シート
２      カバー体
３      ストッパー
３１    ストッパー片凹陥部
３２    ストッパー片
４      キャップ
４１    キャップ外周の係合段部
５      スプリング
６      リリースキャップ
６１    リリースキャップの樹脂管挿入口
６２    リリースキャップ尾端内径の係合段部
６３    樹脂管挿入部内壁
６４    リリースキャップの操作段差
６５    リリースキャップのフランジ形突出部
Ａ      樹脂管挿入部
Ｐ      樹脂管
【図１】
2020076449.tif 000003
【図２】
2020076449.tif 000004
【図３】
2020076449.tif 000005
【図４】
2020076449.tif 000006
【図５】
2020076449.tif 000007
【図６】
2020076449.tif 000008
【図７】
2020076449.tif 000009
【図８】
2020076449.tif 000010
【図９】
2020076449.tif 000011
【図１０】
2020076449.tif 000012